(57)【特許請求の範囲】
【請求項１】
本体の前面が前面パネルで覆われた横長形状の室内機の前記本体の上面部に空気吸い込み部を備え、前記本体の内部に、室内の空気調和を行うように熱交換器と送風機が配置されると共に、前記熱交換器の一側部に隣接して電装ボックスが配置され、前記熱交換器からの結露水を受ける露受け部が前記熱交換器の下部に配置され、前記送風機の運転によって前記空気吸い込み部及び前記前面パネルの裏側を通り前記本体内へ吸い込まれる空気が前記熱交換器で熱交換され、前記室内機の前面下部の空気吹き出し口から吹き出す構成の空気調和機の室内機において、
前記前面パネルは前記本体に対して取り外し可能または開くことが可能に設けられ、前記電装ボックス側の前記熱交換器の側端部に形成された冷媒パイプのＵターン部分を覆うように前壁、側壁及び上壁を形成し前記前面パネルで覆われる露飛散防止カバーを設け、この露飛散防止カバーは、下端部が前記露受け部へ臨む構成とし、かつ、前記前壁は、その前面上部に室内温度を検知する温度センサと室内湿度を検知する湿度センサのうち、少なくとも何れか一方のセンサがセンサホルダを介して取り付けられ、前記前面上部の下方で前記前面上部よりも前方へ張り出した部分に複数の運転制御用スイッチを有する本体内操作部が取り付けられ、前記運転制御用スイッチは前記前面パネルを取り外した状態または開いた状態で操作可能としたことを特徴とする空気調和機の室内機。
【発明の詳細な説明】
【技術分野】
【０００１】
本発明は、室内の空気調和を行うように室内の壁に取り付けられる空気調和機の室内機に関し、特に、室内の温度と湿度を検知するセンサやスイッチの取り付けに関する。
【背景技術】
【０００２】
冷媒の圧縮機と凝縮器とこれらの熱交換用送風機等を収納した室外機と、室内の壁に掛けられるタイプの壁掛け式室内機とで構成した分離型空気調和装置において、室内機が備えた熱交換器によって室内の空気調和を行うために、室内の温度と湿度を検知する温度センサと湿度センサを設け、これらのセンサの検知に基づき、空気調和機の運転を制御している。この場合、前記熱交換器の空気吸い込み側に温度センサと湿度センサを取り付けており、その取り付けとして、温度センサと湿度センサを保持具に取り付け、この保持具に設けた挟持部が前記熱交換器の冷媒パイプを挟持することによって、この保持具が前記熱交換器の空気吸い込み側において、前記熱交換器のフィンの上に当接した状態に保持される。（例えば、特許文献１参照）。
【特許文献１】特開平７−２９３９２９号公報
【発明の開示】
【発明が解決しようとする課題】
【０００３】
この特許文献１のものでは、温度センサと湿度センサを保持具によって、熱交換器の空気吸い込み側で熱交換器のフィンの上に配置するものであり、二つのセンサを取り付ける保持具は、フィン間を通って挿入されて冷媒パイプを弾性的に挟む挟持部を形成した特別なものが必要になると共に、熱交換器の空気吸い込み側の一部分がこの保持具によって塞がれることとなり、できるだけこのような状態は避けた方がよい。
【０００４】
また、熱交換器の左右端部では、熱交換器の冷媒パイプのＵターン部分が存在し、正面視において、右側の冷媒パイプのＵターン部分に近接して、空気調和機の運転制御を行う制御基板などが収納された電装ボックスが配置されるが、冷房運転状態においては、このＵターン部分に露つきが生じ、上位のＵターン部分に付着した露が下位のＵターン部分に滴下したとき、室内機の露受け部を外れて周囲に飛散する。この飛散した露が、室内機の前面パネルの裏側等を伝って流下し、下部の空気吹き出し口から露が室内へ落下する虞がある。
【０００５】
本発明は、このような飛散した露が空気調和機の室内機の下部の空気吹き出し口から室内へ落下しないようにするために、冷媒パイプのＵターン部分に露飛散防止カバーを設け、この露飛散防止カバーの下端部を室内機の露受け部へ臨ませて、このカバーに付着した露を露受け部へ導入させるようにすると共に、このカバーの有効利用として、室内の温度を検知する温度センサと、室内の湿度を検知する湿度センサの少なくとも一方のセンサをこのカバーの前面側に取り付けるようにするものである。更にこのカバーの前面側には、空気調和機の試運転スイッチ等のように、通常の使用状態では操作しない特別なスイッチを配置する構成とし、このスイッチの保護と露飛散防止カバーの有効利用を図るものである。
【課題を解決するための手段】
【０００６】
本発明は、本体の前面が前面パネルで覆われた横長形状の室内機の前記本体の上面部に空気吸い込み部を備え、前記本体の内部に、室内の空気調和を行うように熱交換器と送風機が配置されると共に、前記熱交換器の一側部に隣接して電装ボックスが配置され、前記熱交換器からの結露水を受ける露受け部が前記熱交換器の下部に配置され、前記送風機の運転によって前記空気吸い込み部及び前記前面パネルの裏側を通り前記本体内へ吸い込まれる空気が前記熱交換器で熱交換され、前記室内機の前面下部の空気吹き出し口から吹き出す構成の空気調和機の室内機において、
前面パネルは前記本体に対して取り外し可能または開くことが可能に設けられ、前記電装ボックス側の前記熱交換器の側端部に形成された冷媒パイプのＵターン部分を覆うように前壁、側壁及び上壁を形成し前記前面パネルで覆われる露飛散防止カバーを設け、この露飛散防止カバーは、下端部が前記露受け部へ臨む構成とし、かつ、前記前壁は、その前面上部に室内温度を検知する温度センサと室内湿度を検知する湿度センサのうち、少なくとも何れか一方のセンサがセンサホルダを介して取り付けられ、前記前面上部の下方で前記前面上部よりも前方へ張り出した部分に複数の運転制御用スイッチを有する本体内操作部が取り付けられ、前記運転制御用スイッチは前記前面パネルを取り外した状態または開いた状態で操作可能としたことを特徴とする。
【発明の効果】
【０００９】
本発明では、冷房運転状態において、熱交換器の端部に形成された冷媒パイプのＵターン部分に生じた露が、上位のＵターン部から下位のＵターン部分に滴下して飛散しても、露飛散防止カバーによって前面パネルへの露飛散が防止でき、露飛散防止カバーに当たった露は、下方の露受け部へ流下するため、下部の空気吹き出し口から室内へ落下する虞はない。また、露飛散防止カバーの前面の上部を利用して温度センサと湿度センサの少なくとも何れか一方を取り付けるため、熱交換器のフィン上に取り付ける場合に比して熱交換器の吸い込み側を塞ぐことなく、空気調和機の室内機の前面から吸い込まれる室内空気の温度と湿度を的確に検知できる取り付け場所となる。また、熱交換器への取り付けが困難な場合や、その他の場所への取り付けが困難な場合でも、冷媒パイプのＵターン部分を覆うため、露飛散防止カバーの左右幅は比較的広く、温度センサと湿度センサの取り付けし易い場所となり、取り付け作業もし易いものとなる。更に、露飛散防止カバーによって冷媒パイプのＵターン部分から吸い込まれる空気が遮られるため、熱交換器のフィンの部分からの空気吸い込みを促進でき、熱交換作用を向上できるものとなる。
また、温度センサ及び又は湿度センサの他に、更に、室内機には特別なスイッチを備えた本体内操作部を露飛散防止カバーの前面の中間を利用して取り付けたため、空気調和機の試運転スイッチ、換気運転スイッチ、センサ故障による場合の応急運転スイッチ等のように、一般的な使用状態では操作しない特別なスイッチを配置できる。このため、これらのスイッチは、普段は室内機の前面パネルで覆われているため、誤った操作がされない位置であり、試運転等のように特別な場合には、室内機の前面パネルを取り外した状態、又は開けた状態で操作できるため、スイッチの取り付け場所として好ましい位置となる。
【発明を実施するための最良の形態】
【００１２】
本発明の空気調和機の室内機は、本体の前面が前面パネルで覆われた横長形状の室内機の前記本体の上面部に空気吸い込み部を備え、前記本体の内部に、室内の空気調和を行うように熱交換器と送風機が配置されると共に、前記熱交換器の一側部に隣接して電装ボックスが配置され、前記熱交換器からの結露水を受ける露受け部が前記熱交換器の下部に配置され、前記送風機の運転によって前記空気吸い込み部及び前記前面パネルの裏側を通り前記本体内へ吸い込まれる空気が前記熱交換器で熱交換され、前記室内機の前面下部の空気吹き出し口から吹き出す構成の空気調和機の室内機において、
前面パネルは前記本体に対して取り外し可能または開くことが可能に設けられ、前記電装ボックス側の前記熱交換器の側端部に形成された冷媒パイプのＵターン部分を覆うように前壁、側壁及び上壁を形成し前記前面パネルで覆われる露飛散防止カバーを設け、この露飛散防止カバーは、下端部が前記露受け部へ臨む構成とし、かつ、前記前壁は、その前面上部に室内温度を検知する温度センサと室内湿度を検知する湿度センサのうち、少なくとも何れか一方のセンサがセンサホルダを介して取り付けられ、前記前面上部の下方で前記前面上部よりも前方へ張り出した部分に複数の運転制御用スイッチを有する本体内操作部が取り付けられ、前記運転制御用スイッチは前記前面パネルを取り外した状態または開いた状態で操作可能としたことを特徴とするものであり、以下に本発明の実施形態を記載する。
【実施例１】
【００１３】
次に、本発明の実施の形態について説明する。図１は室内機と室外機のセットである分離型空気調和機の斜視図、図２は室内機の縦断側面図、図３は前面パネルを取り外した状態の室内機の正面図、図４は露飛散防止カバーの取り付け状態を示す正面斜視図、図５は取り付けた状態の露飛散防止カバー部分を断面で示す側面図である。
【００１４】
図において、本発明に係る空気調和機の室内機１は、室内の壁に掛けられるタイプの壁掛け式室内機であり、冷媒の圧縮機と凝縮器とこれらの熱交換用送風機８等を収納した室外機１０とで一組の分離型空気調和機Ｋを構成するものであり、室内機１と室外機１０とは、後述の冷媒の入口パイプと出口パイプに接続される冷媒回路１８と、電気回路１９とで連結された状態である。室内機１は、室内の空気調和を行うように前面パネル７で覆われた内部に熱交換器３と送風機４等が配置され、上面と前面に空気吸い込み部を形成している。前記空気調和機Ｋは、室内機１によって家屋の室内の空気調和を行うために、冷房動作、暖房動作、除湿動作、換気動作、室内空気循環動作を選択スイッチの操作に基づき選択できるものである。この選択スイッチは、使用性を考慮して、一般的に使用者が任意に遠隔操作可能なリモートコントローラ（図示せず）に設けられたスイッチで構成される。
【００１５】
室内機１を具体的に説明すると、室内機１は、室内機１の本体２と前面パネル７とで構成された横長形状をなし、本体２は、室内機１の本体部を構成する大きさを有して前後に開口した枠状の基体部２Ａと、その基体部２Ａの前面開口側に組み合わされた前カバー部２Ｂと、基体部２Ａの後面開口側に組み合わされた後カバー部２Ｃとで構成され、本体２の前面側を覆うように前面パネル７が組み合わされている。本体２の基体部２Ａと前カバー部２Ｂは、それぞれ格子状に空気吸い込み部５Ａ、５Ｂを形成している。前面パネル７は、室内機１の非運転状態では本体２の前カバー部２Ｂ側へ近接し、室内機１の運転状態において、前カバー部２Ｂとの間の間隔Ｔを広げて、本体２の前面に空気吸い込み通路を形成するように、電動機構によって前方へ移動するように構成している。また、前面パネル７は、本体２に対して、取り外し可能、又は上方へ回動にて開くことが可能な構成である。室内機１は、家屋の室内の壁にネジ固定した固定板に対して背面の引っ掛け部を引っ掛けることによって取り付けられる。
【００１６】
後カバー部２Ｃの前方の本体２内には、熱交換器３と送風機４と電装箱等が取り付けられており、熱交換器３は、略逆Ｖ字状に配置した前面側熱交換部３Ａと後面側熱交換部３Ｂとで構成され、前面側熱交換部３Ａは下部が後方へ屈曲した部分３Ａ１を形成した形状をなす。熱交換器３は、縦方向に延びたアルミニウム薄板のフィンＰを略等間隔に横方向に多数並列配置状態において、複数の冷媒パイプＱが横方向に貫通配置されたプレートフィン型熱交換器の構成であり、左右端部には、複数の冷媒パイプＱを直列状態に接続するＵターン部分３Ｕを形成している。このため、前面側熱交換部３Ａと後面側熱交換部３Ｂの冷媒パイプＱは、直列の冷媒の流れを形成するように左右端にＵターン部分３Ｕを形成されている。
【００１７】
熱交換器３の冷媒の入口パイプと出口パイプが並列に配置された状態で、熱交換器３の右端側から導出され、断熱材のカバー２３で被覆された状態で、後カバー部２Ｃの背面に沿って室内機１の側面から導出されて、室外機１０と冷媒回路１８で接続される。
【００１８】
送風機４は、前面側熱交換部３Ａと後面側熱交換部３Ｂと間に配置され、略熱交換器３の左右全幅に渡る長さを有する横流式ファン４Ｅを電動機４Ｃで回転する構成である。横流式ファン４Ｅは、間隔を存して配置した円板４Ｄの円周に左右方向に延びる多数の羽根４Ａが配置され、左右両端の軸部４Ｂが後カバー部２Ｃの前面部に形成した軸受けによって回転可能に支持され、その軸部４Ｂを後カバー部２Ｃの前面部に取り付けた電動機４Ｃで回転するものである。
【００１９】
送風機４の運転によって空気吸い込み部５Ａ、５Ｂ及び前面パネル７の裏側の間隔Ｔから本体２内へ吸い込まれる空気は、本体２の前面に横長に配置した紫外線ランプ５２を備えた殺菌装置５１を通り、フィルタ６を通過して熱交換器３で熱交換され、室内機１の前面下部に形成した横長矩形状の空気吹き出し口１１から前方へ吹き出す。フィルタ６は、フィルタ網をその周囲に形成される合成樹脂製枠を射出成形すると同時に一体化したものであり、左右各１枚を一組とし、前カバー部２Ｂに形成したフィルタ支持レール部９に支持される。前面パネル７を開いた状態で、本体２の左右両側部とその中間部に形成したフィルタ支持レール部９に対して、カバー部２Ｂの下部から上方へ向かうスライド式挿入によって、左右のフィルタ６が着脱自在に保持されている。フィルタ６をフィルタ支持レール部９にスライドし易くするためと、フィルタ６の中間部が熱交換器３側へ落ち込まないようにするために、フィルタ６の裏側の支持部として左右のフィルタ支持レール部９、９間に渡る横桟９Ａと、この横桟９Ａ相互に上下に渡る縦桟でもって格子状の桟を形成している。
【００２０】
空気吹き出し口１１には、軸１２Ａで上下動するように軸支持され電動機１２Ｂによって上下動するように駆動される風向板１２と、吹き出す空気流を左右の複数流に分割する左右動風向板１３を備えている。熱交換器３Ａ、３Ｂから流下する露は、その下方に配置した露受け部（露受け皿）１４、１５で受けて集められ、室内部分を断熱材で被覆されたドレンパイプ１７から室外に排出される。
【００２１】
熱交換器３の横である一側部、図では右側部に隣接して電装ボックス２７が後カバー部２Ｃの前面部にネジ２８によって取り付け配置されている。電装ボックス２７は合成樹脂製ケースで構成され、この電装ボックス２７内には、空気調和機Ｋへの電源を接続する電源端子と空気調和機Ｋの運転を制御する制御部等が収納されている。
【００２２】
電装ボックス２７側である熱交換器３の右端部に形成された冷媒パイプＱのＵターン部分３Ｕを前面側から覆うように、露飛散防止カバー２４を設けている。この露飛散防止カバー２４は、冷媒パイプＱのＵターン部分３Ｕを落下するときに生じる露の飛散防止のために、Ｕターン部分３Ｕを前面側から覆うものである。露飛散防止カバー２４は、冷媒パイプＱのＵターン部分３Ｕを落下するときに生じる露の飛散防止を十分にするために、Ｕターン部分３Ｕの前面側に位置する前壁２４Ａに加えて、側方（図では右側面）と上方から覆うように側壁２４Ｂ（図では右側壁）と上壁２４Ｃを形成した合成樹脂製である。後述の露飛散防止カバー２４の取り付けによって、側壁２４Ｂ（図では右側壁）は、後カバー部２Ｃから前方へ突出した壁２Ｃ１と当接または近接するため、熱交換器３の側方（図では右側面）への上記露の飛散を防止できる。
【００２３】
この露飛散防止カバー２４は、一体成型した弾性爪部によって、後カバー部２Ｃの部分に着脱自在に係止する構成でもよいが、振動などによる脱落や振動音の発生防止のために少なくとも１箇所をネジ止めしている。具体的には、取り付け部２５Ａ、２５Ｂでもって後カバー部２Ｃから前方へ延びた取り付け部へネジ２６によって固定している。なお、取り付け部２５Ｂは、前カバー部２Ｂと共にネジによって取り付けられる。この取り付けによって、露飛散防止カバー２４は、熱交換器３の横に隣接する電装ボックス２７に近接または当接する状態となり、その状態で冷媒パイプＱのＵターン部分３Ｕを室内機１の前面側から覆う位置となる。このため、後述の温度センサ３０、湿度センサ３１及び本体内操作部３５は、これらがリード線で接続される電装ボックス２７の近傍配置となるため、リード線が短くできると共に配線がし易くなる。
【００２４】
また、熱交換器３の側端部（図では右側端部）の冷媒パイプＱのＵターン部分３Ｕへの空気の吸い込みが殆んどなくなり、この部分への埃の付着が抑制できる。また、露飛散防止カバー２４の側壁２４Ｂ（図では右側壁）の奥行きが少なくても、冷媒パイプＱのＵターン部分３Ｕを落下するときに飛散する露が、露飛散防止カバー２４と電装ボックス２７との間から前方へ飛散することが防止される。
【００２５】
また、この取り付け状態において、図４及び図５に示すように、露飛散防止カバー２４の下端部２４Ｄ、即ち、前壁２４Ａと側壁２４Ｂ（図では右側壁）の下端部２４Ｄは、熱交換器３の露受け部１４へ臨んでいる。このため、露飛散防止カバー２４の裏側に付着し流下する露は、下端部２４Ｄによって露受け部１４へ落下するように導入される。図示の構成では、露受け部１４の前壁１４Ａが高く形成されているため、その分だけ露飛散防止カバー２４の下端部２４Ｄは、露受け部１４よりも高い上方位置で終わっており、熱交換器３Ａ１の最下部のＵターン部分３Ｕは、露受け部１４の前壁１４Ａで覆われる状態である。また、後カバー部２Ｃから前方へ突出した壁２Ｃ１の下端部２Ｃ１１も熱交換器３の露受け部１４へ臨んでいるため、壁２Ｃ１に付着し流下する露は、下端部２Ｃ１１によって露受け部１４へ落下するように導入される。
【００２６】
露飛散防止カバー２４の前面側には、空気調和される室内の温度や湿度等を検知するセンサの一つ又は複数が取り付けられる。空気調和機Ｋでは、空気調和される室内の温度を検知する温度センサ３０と空気調和される室内の湿度を検知する湿度センサ３１を備えており、これらセンサ３０、３１の少なくとも一方を取り付けるものである。実施例では、これらセンサ３０、３１の両方を取り付ける構成を示しており、その具体的な取り付け構成として、露飛散防止カバー２４の前壁２４Ａの前面上部には、前方へ略水平に突出した支持部３２が一体形成され、この支持部３２には左右に支持孔３２Ａが形成されている。温度センサ３０と湿度センサ３１は、合成樹脂製のセンサホルダ３３の前面側に着脱自在に取り付けられている。センサホルダ３３の下面には、下方へ突出した左右の係止爪３４Ａを一体形成しており、センサホルダ３３は、左右の係止爪３４Ａをその弾性を利用して支持部３２の左右の支持孔３２Ａに圧入することにより、左右の係止爪３４Ａは内側へ撓みつつ支持孔３２Ａの下側に係止して支持部３２に支持される。センサホルダ３３の取り外しは、左右の係止爪３４Ａをその弾性を利用して内側へ撓ませた状態で、上方へ引き上げることによって、支持部３２の左右の支持孔３２Ａから外すことができる。このような関係に支持孔３２Ａと係止爪３４Ａの位置と大きさが構成されている。
【００２７】
更に、露飛散防止カバー２４の前壁２４Ａの前面中間には、空気調和機Ｋの特別な運転制御を行うための本体内操作部３５を設けている。この本体内操作部３５は、空気調和機Ｋの特別な運転制御を行うために、複数の運転制御用スイッチを備えている。この複数の運転制御用スイッチとして、実施例では、空気調和機Ｋの試運転スイッチ３５Ａ、室内機１に内蔵された換気装置（図示せず）のＯＮ−ＯＦＦを行う換気運転スイッチ３５Ｂ、センサ３０、３１の故障による場合の応急運転スイッチ３５Ｃ等のように、一般的な使用状態では操作しない特別なスイッチである。これらのスイッチは合成樹脂製のスイッチケース３６に収納されている。スイッチケース３６は、その上下壁に露飛散防止カバー２４の前壁２４Ａから前方へ突出した弾性係止部３８と弾性係合する係止部３７を形成している。これによって、スイッチケース３６内に配線されたスイッチ３５Ａ、３５Ｂ及び３５Ｃを取り付けた状態で、スイッチケース３６を飛散防止カバー２４の前方から押し圧することによって、係止部３７と３８が弾性係合して、スイッチケース３６は露飛散防止カバー２４の前壁２４Ａの前面に取り付けられる。スイッチケース３６の取り外しは、係止部３７と３８の弾性係合を外すことによって行われる。
【００２８】
上記のように取り付けられた露飛散防止カバー２４は、室内機１の前面パネル７で覆われている。このため、本体内操作部３５の各スイッチは、普段は室内機１の前面パネル７で覆われているため、誤った操作がされない位置であり、試運転等のように特別な場合には、室内機１の前面パネル７を取り外した状態、又は開けた状態で操作できるため、本体内操作部３５の各スイッチの取り付け場所として好ましい位置となる。
【００２９】
上記実施例では、熱交換器３の右側部分に電装ボックス２７が配置され、熱交換器３の右側端部の冷媒パイプＱのＵターン部分３Ｕを覆うように、露飛散防止カバー２４を取り付けた構成であるが、熱交換器３の左側部分に電装ボックス２７を配置し、熱交換器３の左側端部の冷媒パイプＱのＵターン部分３Ｕを覆うように、露飛散防止カバー２４を取り付ける構成であっても差し支えない。
【産業上の利用可能性】
【００３０】
本発明の空気調和機は、室内機１の形状や構成については、上記実施形態に限定されず、本発明の技術的範囲を逸脱しない限り種々の空気調和機に適用できるものである。
【図面の簡単な説明】
【００３１】
【図１】本発明に係る室内機と室外機のセットである分離型空気調和機の斜視図である。（実施例１）
【図２】本発明に係る室内機の縦断側面図である。（実施例１）
【図３】本発明に係る前面パネルを取り外した状態の室内機の正面図である。（実施例１）
【図４】本発明に係る露飛散防止カバーの取り付け状態を示す正面斜視図である。（実施例１）
【図５】取り付けた状態の露飛散防止カバー部分を断面で示す側面図である。（実施例１）
【符号の説明】
【００３２】
１・・・空気調和機の室内機
２・・・室内機の本体
２Ｃ・・後カバー部
３・・・熱交換器
３Ｕ・・冷媒パイプのＵターン部分
４・・・送風機
５Ａ・・空気吸い込み部
５Ｂ・・空気吸い込み部
６・・・フィルタ
７・・・前面パネル
１０・・室外機
１１・・空気吹き出し口
１４・・露受け部
２４・・露飛散防止カバー
２４Ａ・・露飛散防止カバーの前壁
２４Ｂ・・露飛散防止カバーの側壁
２４Ｃ・・露飛散防止カバーの上壁
２７・・・電装ボックス
３０・・・温度センサ
３１・・・湿度センサ
３３・・・センサホルダ
３５・・・本体内操作部
３５Ａ・・試運転スイッチ
３５Ｂ・・換気運転スイッチ
３５Ｃ・・応急運転スイッチ
【図１】
0004753707.tif 000002
【図２】
0004753707.tif 000003
【図３】
0004753707.tif 000004
【図４】
0004753707.tif 000005
【図５】
0004753707.tif 000006